(57)【要約】【課題】比較的小さな施工スペースで、２つのベース部材を連結することの可能な連結具を提供する。【解決手段】連結具１００は、互いに対向する一対の側壁部１１１と、一対の側壁部１１１を接続する接続部１１２とを有する第１ベース部材１１０と、第２ベース部材２１０とを連結可能である。連結具１００は、基部１０１と、突出部１０２とを備える。基部１０１は、一対の側壁部１１１のうちの一方の側壁部１１１ａの係合部１１６に係合されることが可能である。突出部１０２は、基部１０１の先端から延びており、第２ベース部材２１０の係合部２１６に係合されることが可能である。突出部１０２は、接続部１１２に対して、接続部１１２に交差する方向に離間している。基部１０１が一方の側壁部１１１ｂの係合部１１６に係合されたときに、突出部１０２は、一方の側壁部１１１ｂの端部から突出する。【選択図】図３
2018204778.tif 000002
【特許請求の範囲】
【請求項１】
互いに対向する一対の側壁部と、前記一対の側壁部を接続する接続部とを有する第１ベース部材と、第２ベース部材とを連結可能な連結具であって、
前記一対の側壁部のうちの一方の側壁部の係合部に係合されることの可能な基部と、
前記基部の先端から延びており、前記第２ベース部材の係合部に係合されることの可能な突出部と
を備え、
前記突出部は、前記接続部に対して、前記接続部に交差する方向に離間しており、
前記基部が前記一方の側壁部の前記係合部に係合されたときに、前記突出部は、前記一方の側壁部の端部から突出する、連結具。
【請求項２】
前記突出部は、前記突出部の先端部分に位置する第１コーナー部と第２コーナー部とを有し、
前記基部が前記一方の側壁部の前記係合部に係合されたときに、前記第１コーナー部は、前記第２コーナー部よりも前記接続部から離れており、
前記第１コーナー部は、面取り部である、請求項１に記載の連結具。
【請求項３】
前記第２コーナー部は、面取り部である、請求項２に記載の連結具。
【請求項４】
前記一対の側壁部のうちの他方の側壁部に対向する壁部をさらに備え、
前記基部が前記一方の側壁部の前記係合部に係合されたときに、前記壁部は、前記他方の側壁部の長手方向の端部から突出する、請求項１から請求項３のいずれか１項に記載の連結具。
【請求項５】
第１ベース部材と、
光源を有し、前記第１ベース部材に装着される光源ユニットと
前記第１ベース部材と第２ベース部材とを連結可能な連結具と
を備え、
前記第１ベース部材は、
互いに対向する一対の側壁部と、
前記一対の側壁部を接続する接続部と
を有し、
前記連結具は、
前記一対の側壁部のうちの一方の側壁部の係合部に係合されることの可能な基部と、
前記基部の先端から延びており、前記第２ベース部材の係合部に係合されることの可能な突出部と
を備え、
前記突出部は、前記接続部に対して、前記接続部に交差する方向に離間しており、
前記基部が前記一方の側壁部の前記係合部に係合されたときに、前記突出部は、前記一方の側壁部の端部から突出する、照明器具。
【発明の詳細な説明】
【技術分野】
【０００１】
本発明は、連結具及び照明器具に関する。
【背景技術】
【０００２】
特許文献１に記載された照明灯は、支持金具と、カバー部材と、ベース部材と、ＬＥＤとを備える。支持金具は、天井にネジで固定されている。支持金具は、側板を有する。側板の先端は折り曲げられ、爪片が形成されている。カバー部材は、ベース部材に取り付けられ、ＬＥＤを覆う。ベース部材には、取付け溝が形成されている。支持金具の爪片がベース部材の取付け溝に入り込むことによって、ベース部材は、支持金具に取り付けられる。
【先行技術文献】
【特許文献】
【０００３】
【特許文献１】特開２０１０−３６８３号公報
【発明の概要】
【発明が解決しようとする課題】
【０００４】
しかしながら、特許文献１に記載された照明灯では、ベース部材を、支持金具の長手方向に略平行にスライドさせることによって、ベース部材を支持金具に取り付ける。従って、ベース部材を支持金具に取り付ける際に、ベース部材をスライドさせるために十分な施工スペースを確保する必要がある。
【０００５】
そして、十分な施工スペースの確保が困難な場合は、施工時間が長引いたり、施工不能になることもあり得る。そこで、比較的小さな施工スペースで、ベース部材を支持金具に取り付けることが切望されている。
【０００６】
そこで、本願の発明者らは、比較的小さな施工スペースで、２つのベース部材を連結するという点に着目した。
【０００７】
本発明は上記課題に鑑みてなされたものであり、その目的は、比較的小さな施工スペースで、２つのベース部材を連結することの可能な連結具及び照明器具を提供することにある。
【課題を解決するための手段】
【０００８】
本願に開示する連結具は、互いに対向する一対の側壁部と、前記一対の側壁部を接続する接続部とを有する第１ベース部材と、第２ベース部材とを連結可能である。連結具は、基部と、突出部とを備える。基部は、前記一対の側壁部のうちの一方の側壁部の係合部に係合されることが可能である。突出部は、前記基部の先端から延びており、前記第２ベース部材の係合部に係合されることが可能である。前記突出部は、前記接続部に対して、前記接続部に交差する方向に離間している。前記基部が前記一方の側壁部の前記係合部に係合されたときに、前記突出部は、前記一方の側壁部の端部から突出する。
【０００９】
本願に開示する連結具において、前記突出部は、第１コーナー部と第２コーナー部とを有することが好ましい。第１コーナー部と第２コーナー部とは、前記突出部の先端部分に位置することが好ましい。前記基部が前記一方の側壁部の前記係合部に係合されたときに、前記第１コーナー部は、前記第２コーナー部よりも前記接続部から離れていることが好ましい。前記第１コーナー部は、面取り部であることが好ましい。
【００１０】
本願に開示する連結具において、前記第２コーナー部は、面取り部であることが好ましい。
【００１１】
本願に開示する連結具は、壁部をさらに備えることが好ましい。壁部は、前記一対の側壁部のうちの他方の側壁部に対向することが好ましい。前記基部が前記一方の側壁部の前記係合部に係合されたときに、前記壁部は、前記他方の側壁部の長手方向の端部から突出することが好ましい。
【００１２】
本願に開示する照明器具は、第１ベース部材と、光源ユニットと、連結具とを備える。光源ユニットは、光源を有し、前記第１ベース部材に装着される。連結具は、前記第１ベース部材と第２ベース部材とを連結可能である。前記第１ベース部は、一対の側壁部と、接続部とを有する。一対の側壁部は、互いに対向する。接続部は、前記一対の側壁部を接続する。前記連結具は、基部と、突出部とを備える。基部は、前記一対の側壁部のうちの一方の側壁部の係合部に係合されることが可能である。突出部は、前記基部の先端から延びており、前記第２ベース部材の係合部に係合されることが可能である。前記突出部は、前記接続部に対して、前記接続部に交差する方向に離間している。前記基部が前記一方の側壁部の前記係合部に係合されたときに、前記突出部は、前記一方の側壁部の端部から突出する。
【発明の効果】
【００１３】
本発明によれば、比較的小さな施工スペースで、２つのベース部材を連結することが可能である。
【図面の簡単な説明】
【００１４】
【図１】本発明の実施形態に係る第１照明器具を示す斜視図である。
【図２】（ａ）は、実施形態に係る第１連結具を下方から示す斜視図である。（ｂ）は、実施形態に係る第１連結具を上方から示す斜視図である。
【図３】（ａ）は、実施形態に係る第１ベースユニットを一方方向から示す斜視図である。（ｂ）は、実施形態に係る第１ベースユニットを他方方向から示す斜視図である。
【図４】実施形態に係る第１連結具と第２ベース部材との対応関係と、第２連結具と第１ベース部材との対応関係とを示す斜視図である。
【図５】実施形態に係る第１照明器具の取り付け手順を示す模式的側面図である。
【図６】図５に示す領域Ａの内部を示す図である。
【図７】第１ベースユニットと第２ベースユニットとの連結後の図５に示す領域Ａの内部を示す図である。
【図８】実施形態に係る第１照明器具を示す図１のＶＩＩＩ−ＶＩＩＩ線に沿った断面図である。
【発明を実施するための形態】
【００１５】
以下、本発明の実施形態について、図面を参照しながら説明する。なお、図中、同一または相当部分については同一の参照符号を付して説明を繰り返さない。
【００１６】
図１は、本発明の実施形態に係る第１照明器具１を示す斜視図である。図１に示すように、本実施形態において、第１照明器具１（照明器具）は、第２照明器具２に連結している。第１照明器具１は、一定方向ＰＤ（以下、「方向ＰＤ」と記載する。）に沿って延びている。第１照明器具１は、第１ベースユニットＵ１１と、第１光源ユニットＵ１２と、第１連結具１００とを備える。
【００１７】
第１ベースユニットＵ１１は、第１ベース部材１１０と、電源部１４０とを含む。第１ベース部材１１０は、方向ＰＤに沿って延びている。第１ベース部材１１０は、取付対象物に取り付けられる。取付対象物は、例えば、建造物のような構造物の取付部である。取付部は、例えば、天井面である。第１ベース部材１１０は、例えば、金属製である。第１ベース部材１１０は電源部１４０を収容する。電源部１４０は、電源線（不図示）を介して第１光源ユニットＵ１２に電力を供給する。
【００１８】
第１光源ユニットＵ１２は、第１ベースユニットＵ１１に装着される。具体的には、第１光源ユニットＵ１２は、第１ベース部材１１０に装着される。第１光源ユニットＵ１２は、方向ＰＤに沿って延びている。第１光源ユニットＵ１２は、第１カバー部材１２０と、光源１２１とを有する。光源１２１は、方向ＰＤに沿って延びている。光源１２１は、単数又は複数の発光素子（以下、本明細書において発光素子１２１ｂと記載する。）を含む。発光素子１２１ｂは、例えば、ＬＥＤ（Ｌｉｇｈｔ  Ｅｍｉｔｔｉｎｇ  Ｄｉｏｄｅ）である。なお、光源１２１は、発光素子１２１ｂに代えて、蛍光灯又は白熱電球を含んでもよい。なお、図面の簡略化のため、図１では、発光素子１２１ｂの図示を省略している。
【００１９】
第１カバー部材１２０は、方向ＰＤに沿って延びている。第１カバー部材１２０の内部は空洞である。第１カバー部材１２０は光源１２１を覆う。第１カバー部材１２０は、例えば、合成樹脂製である。第１カバー部材１２０は、例えば、光源１２１が出射した光を拡散する。第１カバー部材１２０は、例えば、白色半透明であってもよい。第１カバー部材１２０は、例えば、光拡散材料を含有した樹脂を成形することによって形成してもよいし、透明材料で成形した後に表面に光拡散処理を施して形成してもよい。
【００２０】
第２照明器具２は、第２ベースユニットＵ２１と、第２光源ユニットＵ２２と、第２連結具（以下、本明細書において第２連結具２００と記載する。）とを備える。なお、図面の簡略化のため、図１では、第２連結具２００の図示を省略している。第２ベースユニットＵ２１は、第１ベースユニットＵ１１と同様の構成を有するため、説明を省略する。また、第２光源ユニットＵ２２は、第１光源ユニットＵ１２と同様の構成を有するため、説明を省略する。
【００２１】
第１連結具１００は、第１ベースユニットＵ１１と、第２ベースユニットＵ２１とを連結可能である。具体的には、第１連結具１００は、第１ベース部材１１０と第２ベース部材２１０とを連結可能である。また、第２連結具２００は、第１ベースユニットＵ１１と、第２ベースユニットＵ２１とを連結可能である。具体的には、第２連結具２００は、第１ベース部材１１０と第２ベース部材２１０とを連結可能である。図１に示すように、本実施形態において、第１ベースユニットＵ１１と、第２ベースユニットＵ２１とは、隙間無く連結されている。ただし、第１ベースユニットＵ１１と、第２ベースユニットＵ２１とは、微小隙間を有して連結されていてもよい。
【００２２】
次に、図２（ａ）及び図２（ｂ）を参照して第１連結具１００について説明する。図２（ａ）は、第１連結具１００を下方から示す斜視図である。図２（ｂ）は、第１連結具１００を上方から示す斜視図である。なお、第２連結具２００は、第１連結具１００と同様の構成を有する。図２（ａ）及び図２（ｂ）に示すように、第１連結具１００は、基部１０１と、突出部１０２と、ベース部１０３と、第１壁部１０４と、屈曲部１０５と、第２壁部１０６（壁部）と、結合部１０７とを備える。第１連結具１００は、例えば、金属製（例えば、ステンレス製又はアルミニウム製）であり、一体成形されている。
【００２３】
基部１０１は、側面視において略Ｌ字状である。基部１０１は、方向ＰＤに沿って延びている。突出部１０２は、基部１０１の先端から方向ＰＤに沿って延びている。突出部１０２は、第１コーナー部１０２ａと、第２コーナー部１０２ｂとを有する。第１コーナー部１０２ａは、突出部１０２の先端部分に位置する。第１コーナー部１０２ａは面取り部である。第２コーナー部１０２ｂは、突出部１０２の先端部分に位置する。第２コーナー部１０２ｂは面取り部である。
【００２４】
面取り部とは、部材（突出部１０２）の角部分を除去して、除去された角部分を平面化又は曲面化してなだらかな面に加工された部分のことである。すなわち、本明細書において、第１コーナー部１０２ａ及び第２コーナー部１０２ｂの各々は、除去された角部分を平面化して面取りした面取り部、又は、除去された角部分を曲面化して面取りした面取り部（例えば、丸み面取り部）である。
【００２５】
ベース部１０３は、方向ＰＤに対して交差する方向に沿って延びている。本実施形態において、ベース部１０３は、方向ＰＤに対して直交する方向に沿って延びている。ベース部１０３は貫通孔１０３ｃを有する。本実施形態において、ネジのような結合具が貫通孔１０３ｃを介して第１ベース部材１１０（図１参照）に結合する。その結果、第１連結具１００が第１ベース部材１１０に固着される。具体的には、基部１０１の位置する側から結合具が貫通孔１０３ｃを貫通し、第１連結具１００が第１ベース部材１１０に固着される。
【００２６】
第１壁部１０４は、ベース部１０３の長端縁（側端縁）から屈曲している。第１壁部１０４は、方向ＰＤに対して交差する方向に沿って延びている。本実施形態において、第１壁部１０４は、方向ＰＤに対して直交する方向に沿って延びている。また、本実施形態において、第１壁部１０４は、略平板状である。
【００２７】
屈曲部１０５は、第１壁部１０４の先端から屈曲している。突出部１０２が基部１０１の先端から延びる方向と反対の方向に向かって、屈曲部１０５は、第１壁部１０４の先端から延びている。屈曲部１０５は、方向ＰＤに沿って延びている。また、屈曲部１０５は、ベース部１０３に略平行である。
【００２８】
第２壁部１０６は、第１壁部１０４の短端縁（側端縁）から屈曲している。第２壁部１０６は、方向ＰＤに対して交差する方向に沿って延びている。本実施形態において、第２壁部１０６は、方向ＰＤに対して直交する方向に沿って延びている。本実施形態において、第２壁部１０６は、例えば、略平板状である。また、本実施形態において、第２壁部１０６の一方端部は、ベース部１０３の一方端部１０３ａに接触している。なお、第２壁部１０６の一方端部は、ベース部１０３の一方端部１０３ａに接触していなくてもよい。
【００２９】
結合部１０７は、ベース部１０３の短端縁（側端縁）から屈曲している。結合部１０７は、ベース部１０３から方向ＰＤに対して交差する方向に沿って延びている。本実施形態において、結合部１０７は、方向ＰＤに対して直交する方向に沿って延びている。本実施形態において、結合部１０７は、例えば、略平板状である。また、本実施形態において、結合部１０７は、第２壁部１０６に略平行である。結合部１０７は、ベース部１０３と基部１０１とを結合する。
【００３０】
次に、図３（ａ）及び図３（ｂ）を参照して、第１ベース部材１１０について説明する。図３（ａ）は、第１ベース部材１１０を一方方向から示す斜視図である。図３（ｂ）は、第１ベース部材１１０を他方方向から示す斜視図である。なお、第２ベース部材２１０は、第１ベース部材１１０と同様の構成を有する。
【００３１】
第１ベース部材１１０は、断面視略Ｕ字形状を有する。第１ベース部材１１０は、一対の側壁部１１１と、接続部１１２と、一対の第１延設部１１３と、一対の第２延設部１１４と、一対の第３延設部１１５とを含む。また、第１ベース部材１１０は、一対の係合部１１６（側壁部の係合部）と、溝１１７とを有する。本実施形態において、係合部１１６は、溝である。一対の側壁部１１１と、接続部１１２と、一対の第１延設部１１３と、一対の第２延設部１１４と、一対の第３延設部１１５と、一対の係合部１１６と、溝１１７との各々は、方向ＰＤに沿って延びている。なお、係合部１１６は、穴であってもよい。
【００３２】
一対の側壁部１１１の各々は、略平板状である。一対の側壁部１１１は、互いに対向する。本実施形態において、一対の側壁部１１１は略平行である。第１延設部１１３と第２延設部１１４との各々は、側壁部１１１に対して略直角になるように、側壁部１１１の内面に立設される。第１延設部１１３と第２延設部１１４との各々は、断面略Ｌ字状である。第１延設部１１３と第２延設部１１４とは、互いに近づくように略直角に屈曲している。係合部１１６は、互いに隣り合う第１延設部１１３と第２延設部１１４とで形成される。
【００３３】
接続部１１２は、略平板状である。接続部１１２は、一対の側壁部１１１を接続する。第３延設部１１５は、接続部１１２に対して略直角になるように、接続部１１２の内面に立設される。第３延設部１１５は、断面略Ｌ字状である。第３延設部１１５は、互いに近づくように略直角に屈曲している。溝１１７は、一対の第３延設部１１５で形成される。
【００３４】
次に、引き続き図３（ａ）及び図３（ｂ）を参照して、第１ベース部材１１０に取り付けられた第１連結具１００について説明する。なお、第２連結具２００は、第１連結具１００と同様に第２ベース部材２１０に取り付けられる。
【００３５】
基部１０１は、一対の側壁部１１１のうちの一方の側壁部１１１ａの係合部１１６に係合されることが可能である。第１連結具１００が第１ベース部材１１０に取り付けられているとき、基部１０１は、係合部１１６に係合されている。
【００３６】
基部１０１が係合部１１６に係合されたときに、突出部１０２は、接続部１１２に対して、接続部１１２に交差する方向に離間している。具体的には、突出部１０２は、接続部１１２に対して、接続部１１２に直交する方向に離間している。基部１０１が係合部１１６に係合されたときに、突出部１０２は、側壁部１１１ａの端部から突出している。具体的には、基部１０１が係合部１１６に係合されたときに、突出部１０２は、係合部１１６の長手方向の端部から突出している。また、基部１０１が係合部１１６に係合されたときに、第１コーナー部１０２ａは、第２コーナー部１０２ｂよりも接続部１１２から離れている。
【００３７】
第１連結具１００が第１ベース部材１１０に取り付けられているとき、第２壁部１０６は、一対の側壁部１１１のうちの他方の側壁部１１１ｂに対向する。基部１０１が係合部１１６に係合されたときに、第２壁部１０６は、側壁部１１１ｂの長手方向の端部から突出する。
【００３８】
第１連結具１００が第１ベース部材１１０に取り付けられるとき、ベース部１０３は、溝１１７に挿入されている。ベース部１０３の一方端部１０３ａは、一対の第３延設部１１５の一方と係合する。ベース部１０３の他方端部１０３ｂは、一対の第３延設部１１５の他方と係合する。
【００３９】
次に、図４を参照して、第１ベース部材１１０と第２ベース部材２１０との連結について説明する。図４は、第１連結具１００と第２ベース部材２１０との対応関係と、第２連結具２００と第１ベース部材１１０との対応関係とを示す斜視図である。なお、図面の簡略化のため、図４では、第１光源ユニットＵ１２及び第２光源ユニットＵ２２の図示を省略している。また、図４は、第１連結具１００の突出部１０２と第２ベース部材２１０の係合部２１６との対応関係と、第２連結具２００の突出部２０２と第１ベース部材１１０の係合部１１６との対応関係とを図示しているだけであり、具体的な挿入手順を示すものではない。
【００４０】
図４の矢印Ａ１で示すように、第１連結具１００の突出部１０２は、第２ベース部材２１０の係合部２１６に係合されることが可能である。第１ベース部材１１０と第２ベース部材２１０とが連結するとき、突出部１０２は、第２ベース部材２１０の係合部２１６に係合される。突出部１０２が係合部２１６に係合されるとき、突出部１０２は、係合部２１６と、第２連結具２００の第２壁部２０６との間に位置する。
【００４１】
また、図４の矢印Ａ２で示すように、第２連結具２００の突出部２０２は、第１ベース部材１１０の係合部１１６に係合されることが可能である。第１ベース部材１１０と第２ベース部材２１０とが連結するとき、突出部２０２は、第１ベース部材１１０の係合部１１６に係合される。突出部２０２が係合部１１６に係合されるとき、突出部２０２は、係合部１１６と、第１連結具１００の第２壁部１０６との間に位置する。
【００４２】
以上、図１〜図４を参照して説明したように、本実施形態によれば、第１ベース部材１１０の側壁部１１１ａの端部から突出する突出部１０２が、第２ベース部材２１０の側壁部２１１ｂの係合部２１６に係合される。つまり、側壁部１１１ａ及び側壁部２１１ｂにおいて、突出部１０２と係合部２１６との係合が実行される。従って、係合の際に、突出部１０２と係合部２１６とを目視し易い。その結果、突出部１０２を係合部２１６に係合し易く、第１ベース部材１１０を第２ベース部材２１０に容易に連結できる。
【００４３】
また、本実施形態によれば、基部１０１が係合部１１６に係合されたときに、第２壁部１０６は、側壁部１１１ｂの長手方向の端部から突出する。従って、第１ベース部材１１０と第２ベース部材２１０とが微小隙間を有して連結するときに、第１連結具１００の第２壁部１０６は、第１ベース部材１１０の側壁部１１１ｂと第２ベース部材２１０の側壁部２１１ａとの微小隙間に対向する。その結果、第１ベース部材１１０と第２ベース部材２１０との微小隙間から光源１２１の光が漏洩することを抑制できる。
【００４４】
さらに、本実施形態によれば、第１連結具１００の第２壁部１０６と同様に、第１ベース部材１１０と第２ベース部材２１０とが微小隙間を有して連結するときに、第２連結具２００の第２壁部２０６は、第１ベース部材１１０の側壁部１１１ａと第２ベース部材２１０の側壁部２１１ｂとの微小隙間に対向する。その結果、第１ベース部材１１０と第２ベース部材２１０との微小隙間から光源１２１の光が漏洩することを更に抑制できる。
【００４５】
さらに、本実施形態によれば、第１連結具１００は、方向ＰＤに沿って延びる屈曲部１０５を有している。従って、第１壁部１０４の端部が第１ベース部材１１０と第２ベース部材２１０とに跨る配線（例えば、電源線）に接触しない。その結果、配線が、第１壁部１０４の端部によって損傷することを抑制できる。
【００４６】
さらに、本実施形態によれば、第１ベース部材１１０と第２ベース部材２１０とが連結するとき、突出部１０２は、第２ベース部材２１０の係合部２１６に係合される。従って、第１ベース部材１１０と第２ベース部材２１０とが連結するときに、方向ＰＤに対して直交する方向に突出部１０２が変位することを抑制できる。その結果、第２ベース部材２１０に対して第１ベース部材１１０の位置がずれることを抑制できる。
【００４７】
さらに、本実施形態によれば、第１ベース部材１１０と第２ベース部材２１０とが連結するとき、突出部２０２は、第１ベース部材１１０の係合部１１６に係合される。従って、第１ベース部材１１０と第２ベース部材２１０とが連結するときに、方向ＰＤに対して直交する方向に突出部２０２が変位することを抑制できる。その結果、第１ベース部材１１０に対して第２ベース部材２１０の位置がずれることを抑制できる。
【００４８】
次に、図５〜図７を参照して、第１照明器具１の取り付け手順について説明する。図５は、第１照明器具１の取り付け手順を示す模式的側面図である。なお、図５では、取付部としての天井面Ｃに取り付けられる前の第１ベースユニットＵ１１を実線で示し、天井面Ｃに取り付けられた後の第１ベースユニットＵ１１を二点鎖線で示す。
【００４９】
図５に示すように、本実施形態において、取付部としての天井面Ｃに第１ベースユニットＵ１１が取り付けられる前に、第２ベースユニットＵ２１が天井面Ｃに取り付けられている。そして、第２ベースユニットＵ２１の長手方向に対して第１ベースユニットＵ１１が傾けられ、突出部１０２が第２ベースユニットＵ２１に当接する。さらに、第１ベースユニットＵ１１の長手方向の一方端部が方向Ｄに移動され、突出部１０２が第２ベースユニットＵ２１に係合されて、第１ベースユニットＵ１１が第２ベースユニットＵ２１に連結される。なお、第１ベースユニットＵ１１の長手方向の他方端部に突出部１０２が位置している。
【００５０】
ここで、第１ベースユニットＵ１１（第１ベース部材１１０）を第２ベースユニットＵ２１（第２ベース部材２１０）に連結する際の施工スペースを説明する。施工スペースは、第２ベースユニットＵ２１の長手方向の延長線上のスペースを示す。つまり、施工スペースは、天井面Ｃのような取付対象物に沿った方向のスペースを示す。本実施形態では、第１ベースユニットＵ１１の長手方向の一方端部を方向Ｄに移動することで、つまり、回転することで、第１ベースユニットＵ１１を第２ベースユニットＵ２１に連結する。従って、最小の施工スペースとして、例えば、第１ベースユニットＵ１１の長手方向の長さに相当する施工スペースＢがあれば足りる。つまり、第２ベースユニットの長手方向に略平行に第１ベースユニットをスライドさせて第１ベースユニットを第２ベースユニットに連結させる場合と比較して、小さな施工スペースで第１ベースユニットＵ１１を第２ベースユニットＵ２１に連結させることができる。
【００５１】
さらに、第１ベースユニットＵ１１と第２ベースユニットＵ２１との連結後に、第１ベースユニットＵ１１が天井面Ｃに取り付けられる。図面の簡略化のため図示を省略しているが、天井面Ｃに取り付けられた第１ベースユニットＵ１１及び第２ベースユニットＵ２１に、それぞれ、第１光源ユニットＵ１２及び第２光源ユニットＵ２２が装着される。以下、図６及び図７を参照して詳細に説明する。
【００５２】
図６は、図５に示す領域Ａの内部を示す図である。図７は、第１ベースユニットＵ１１と第２ベースユニットＵ２１との連結後の図５に示す領域Ａの内部を示す。図６に示すように、第１ベースユニットＵ１１を第２ベースユニットＵ２１に連結する際に、第１連結具１００の第１コーナー部１０２ａを、第２ベース部材２１０の第１延設部２１３に当接させつつ、第１ベースユニットＵ１１を方向Ｄに回転する。そして、図７に示すように、突出部１０２を第２ベース部材２１０の係合部２１６に係合する。
【００５３】
つまり、第２ベースユニットＵ２１の長手方向に対して第１ベースユニットＵ１１を傾けつつ、第１ベースユニットＵ１１を第２ベースユニットＵ２１に連結させる。そして、第２ベースユニットＵ２１に連結された第１ベースユニットＵ１１を天井面Ｃに取り付ける。
【００５４】
以上、図１〜図７を参照して説明したように、本実施形態によれば、第１連結具１００の突出部１０２は、第１ベース部材１１０の接続部１１２に対して、接続部１１２に交差する方向に離間している。また、基部１０１が側壁部１１１ａの係合部１１６に係合されたときに、突出部１０２は、側壁部１１１ａの長手方向の端部から突出する。従って、第２ベース部材２１０の長手方向に対して第１ベース部材１１０を傾けつつ、第１ベース部材１１０を第２ベース部材２１０に連結させることができる。その結果、第２ベース部材の長手方向に略平行に第１ベース部材をスライドさせて第１ベース部材を第２ベース部材に連結させる場合と比較して、小さな施工スペース（例えば、図５の施工スペースＢ）で第１ベース部材１１０を第２ベース部材２１０に連結させることができる。つまり、比較的小さな施工スペースで、２つのベース部材（第１ベース部材１１０及び第２ベース部材２１０）を連結することが可能である。
【００５５】
また、本実施形態によれば、突出部１０２が有する第１コーナー部１０２ａは、面取り部である。従って、第１コーナー部１０２ａを、第２ベース部材２１０の第１延設部２１３に当接させつつ、突出部１０２を第２ベース部材２１０の係合部２１６に円滑に係合できる。その結果、施工時間を短縮しつつ、第１ベース部材１１０を第２ベース部材２１０に連結できる。
【００５６】
さらに、本実施形態によれば、突出部１０２が有する第２コーナー部１０２ｂは、面取り部である。従って、第２コーナー部が直角形状を有する場合と比較して、突出部１０２を第２ベース部材２１０の係合部２１６に円滑に係合できる。その結果、施工時間を更に短縮しつつ、第１ベース部材１１０を第２ベース部材２１０に連結できる。
【００５７】
さらに、本実施形態によれば、第１ベースユニットＵ１１を第２ベースユニットＵ２１に連結する際に、第１連結具１００の第１コーナー部１０２ａを、第２ベース部材２１０の第１延設部２１３に当接させつつ、第１ベースユニットＵ１１を方向Ｄに回転して、突出部１０２を第２ベース部材２１０の係合部２１６に係合する。従って、第１ベースユニットＵ１１を第２ベースユニットＵ２１に連結する際に、第１ベースユニットＵ１１が天井面Ｃを擦ることを抑制できる。その結果、第２ベースユニットの長手方向に略平行に第１ベースユニットをスライドさせて第１ベースユニットを第２ベースユニットに連結させる場合と比較して、天井面Ｃが損傷することを抑制できる。
【００５８】
次に、図８を参照して、第１照明器具１について説明する。図８は、図１のＶＩＩＩ−ＶＩＩＩ線に沿った断面図である。図８に示すように、光源１２１は、基板１２１ａと、複数の発光素子１２１ｂとを含む。複数の発光素子１２１ｂは、基板１２１ａの実装面に実装される。光源１２１は、第１ベース部材１１０の内部に位置する。すなわち、光源１２１は、第１ベースユニットＵ１１の内部に位置する。なお、図８では、複数の発光素子１２１ｂのうちの１つの発光素子１２１ｂが表れている。なお、光源１２１は、単数の発光素子１２１ｂを含んでいてもよい。
【００５９】
第１カバー部材１２０は、光出射部１２０ａと、一対の進入部１２０ｂとを有する。光出射部１２０ａは、断面視略Ｕ字形状を有する。光出射部１２０ａの一対の端部は、それぞれ、一対の進入部１２０ｂに連結している。光出射部１２０ａは、光源１２１が出射した光を光出射部１２０ａの外部に出射する。進入部１２０ｂの各々は、複数個所で略直角に曲がる形状を有する。一対の進入部１２０ｂは、基端部分から先端部分に向かう程、段階的に互いに近接する。本実施形態では、光出射部１２０ａと一対の進入部１２０ｂとは一体成形される。また、光源１２１は、光出射部１２０ａに対向しつつ、光出射部１２０ａの外部に位置する。
【００６０】
第１光源ユニットＵ１２は、保持部材１２２を含む。保持部材１２２は、光出射部１２０ａの外部に位置して、光源１２１を保持する。保持部材１２２は、第１ベース部材１１０の内部に位置する。すなわち、保持部材１２２は、第１ベースユニットＵ１１の内部に位置する。保持部材１２２は、一対の第１保持体１２２ａと、取付面１２２ｂと、一対の第２保持体１２２ｃとを有する。第１保持体１２２ａの各々は、基板１２１ａの端部に沿った屈曲形状を有する。従って、一対の第１保持体１２２ａに、それぞれ、基板１２１ａの一対の端部を嵌め込むことができる。その結果、保持部材１２２は、光源１２１を保持できる。
【００６１】
第２保持体１２２ｃの各々は、進入部１２０ｂの先端に沿った屈曲形状を有する。従って、一対の第２保持体１２２ｃに、それぞれ、進入部１２０ｂの一対の先端を嵌め込むことができる。従って、保持部材１２２が進入部１２０ｂに係合する。その結果、保持部材１２２が、進入部１２０ｂに取り付けられる。
【００６２】
第１光源ユニットＵ１２は、単数又は複数の取付部材１１８をさらに含む。例えば、取付部材１１８は、金属製（例えば、ステンレス製）である。取付部材１１８によって、第１光源ユニットＵ１２が第１ベースユニットＵ１１に取り付けられる。取付部材１１８は、保持部材１２２に取り付けられる。具体的には、取付部材１１８は、保持部材１２２の取付面１２２ｂに取り付けられる。取付部材１１８は一対の弾性部１１８ａを有する。弾性部１１８ａの各々は、断面視略円弧状に湾曲しており、弾性を有する。そして、一対の弾性部１１８ａは、それぞれ、第１ベース部材１１０の一対の内壁面に当接する。そして、一対の弾性部１１８ａは弾性を有するため、弾性部１１８ａから内壁面に向かって付勢力が作用する。その結果、第１光源ユニットＵ１２が、第１ベースユニットＵ１１に取り付けられる。
【００６３】
以上、図８を参照して説明したように、本実施形態によれば、光源１２１は光出射部１２０ａの外部に位置する。従って、光源１２１が光出射部１２０ａの内部に位置する場合と比較して、光源１２１からの光を光出射部１２０ａの広範囲の領域に到達させることができる。その結果、光出射部１２０ａ（特に、光出射部１２０ａのうち進入部１２０ｂ近傍の領域）に発生する発光ムラを軽減することができる。
【００６４】
また、図４及び図８を参照して説明したように、本実施形態によれば、光源１２１が第１ベース部材１１０の内部に位置すると共に、第２壁部１０６が、第１カバー部材１２０の側ではなく、第１ベース部材１１０の側に位置する。従って、第１ベース部材１１０と第２ベース部材２１０とが微小隙間を有して連結されているときに、第１ベース部材１１０と第２ベース部材２１０との間から光源１２１の光が漏洩することをさらに抑制できる。
【００６５】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６６】
（１）図１を参照して説明したように、本実施形態では、第１光源ユニットＵ１２が光源１２１を有していた。ただし、第１ベースユニットＵ１１（例えば、第１ベース部材１１０）が光源１２１を有していてもよい。この場合は、第１ベースユニットＵ１１が光源ユニットとして機能する。
【００６７】
（２）図２（ａ）及び図２（ｂ）を参照して説明したように、本実施形態において、第１コーナー部１０２ａは、面取り部であった。ただし、第１コーナー部１０２ａが面取り部である限り、第１コーナー部１０２ａは、平面であってもよいし、曲面であってもよい。また、第２コーナー部１０２ｂは、面取り部であった。ただし、第２コーナー部１０２ｂが面取り部である限り、第２コーナー部１０２ｂは、平面であってもよいし、曲面であってもよい。面取りとは、角部分を除去して、除去された角部分を平面化又は曲面化してなだらかな面に加工することをいう。
【００６８】
（３）図１を参照して説明したように、本実施形態では、２つの照明器具（第１照明器具１及び第２照明器具２）を連結した。ただし、３つ以上の照明器具を直線状に連結することもできる。例えば、３つの照明器具を連結できる。この場合、中央の照明器具のベース部材（第１ベース部材１１０と同様の構成）の長手方向の両端部に連結具（第１連結具１００と同様の構成）を装着する。また、両端の照明器具のベース部材の各々の一方端部には、中央のベース部材に装着するための連結具を装着する。
【００６９】
そして、本実施形態によれば、例えば、３つの照明器具を連結した場合に、中央の照明器具を容易に取り外すことができる。
【００７０】
具体的には、３つの照明器具の各々から、光源ユニット（第１光源ユニットＵ１２と同様の構成）を取り外す。次に、３つのベース部材のうちの中央のベース部材の両端部の連結具を取り外す。次に、両端のベース部材の各々の連結具を取り外す。次に、中央のベース部材を、天井面Ｃのような取付部から取り外す。その結果、両端のベース部材を取付部から取り外すことなく、中央のベース部材、具体的には、中央のベースユニット（第１ベースユニットＵ１１と同様の構成）だけを容易に取り外すことができる。
【産業上の利用可能性】
【００７１】
本発明は、連結具及び照明器具を提供するものであり、産業上の利用可能性を有する。
【符号の説明】
【００７２】
１        第１照明器具（照明器具）
１００    第１連結具（連結具）
１０１    基部
１０２    突出部
１０２ａ  第１コーナー部
１０２ｂ  第２コーナー部
１０６    第２壁部（壁部）
１１０    第１ベース部材
１１１    側壁部
１１２    接続部
１１６    係合部
２１０    第２ベース部材
Ｕ１２    第１光源ユニット（光源ユニット）
【図１】
2018204778.tif 000003
【図２】
2018204778.tif 000004
【図３】
2018204778.tif 000005
【図４】
2018204778.tif 000006
【図５】
2018204778.tif 000007
【図６】
2018204778.tif 000008
【図７】
2018204778.tif 000009
【図８】
2018204778.tif 000010